(57)【要約】【課題】  プラテン開閉エラー発生回数を減らすことにより、高い作業効率を確保するドットラインプリンタを提供することを目的とする。【解決手段】  プラテンが印字用紙に対して直角方向に往復移動することによる開閉手段と、プラテン開閉量検出装置とを有し、前記プラテン開閉量検出装置がプラテン開閉量を異常と判断した場合、前記プラテンが少なくとも１回以上開閉動作を行なうことによりプラテン開閉量異常状態から自動復帰が可能であることを特徴とする。【選択図】  図１
2006341550.tif 000002
【特許請求の範囲】
【請求項１】
複数個の印字ハンマを搭載したハンマバンクと、前記ハンマバンクを往復移動させる為のシャトル機構と、印刷用紙を送るための紙送り機構と、前期印字ハンマの印字力を支持するプラテンと、前記印字ハンマと前記プラテンの間に前記印字用紙とインクリボンを配置して前記ハンマバンクの往復運動の過程で前記印字ハンマを適時駆動することで前記印字用紙に文字、図形等を印字するドットラインプリンタにおいて、前記プラテンが印字用紙に対して直角方向に往復移動することによる開閉手段と、プラテン開閉量検出装置とを有し、前記プラテン開閉量検出装置がプラテン開閉量を異常と判断した場合、前記プラテンが少なくとも１回以上開閉動作を行なうことによりプラテン開閉量異常状態から自動復帰が可能であることを特徴とするドットラインプリンタ。
【発明の詳細な説明】
【技術分野】
【０００１】
本発明は、ドットラインプリンタに関し、さらに詳しくは同プリンタの紙送り機構部に関するものである。
【背景技術】
【０００２】
図３及び図４に、ドットラインプリンタの印字機構の概略を示す。印字素子１０を有するハンマバンク１は、図示していないシャトル機構部により桁方向（図中矢印Ａ方向）に往復運動する。また、ハンマバンク１は、インクリボン２と印字用紙３とを間に挟み、印字力を支持するためのプラテン５と対向した状態に配置されている。ハンマバンク１が往復運動した状態で印字素子１０が適時駆動される毎にドットマトリクスの形で文字、図形等を印字用紙３に印字する。印字用紙３は印字の過程で適時、トラクタ４を搭載した紙送り機構部６により、垂直方向（図中矢印Ｂ方向）に送られる。トラクタ４は印字用紙３の両端に連続的に配置された送り穴にピンを勘合させ、印字用紙３を搬送する。
【０００３】
プラテン５は用紙厚の異なる多種の印字用紙に対応するため、また印字用紙交換、インクリボン交換を容易に行なうため、印字用紙に対して直角方向に往復移動する開閉手段を有している。
【０００４】
図２にプラテン５の開閉機構概略の一例を示す。プラテン５は、上方から板バネ１１によって下方に押し付けられて上下方向に拘束され、引張りコイルバネ１３の張力でプラテン開閉カム１２に突き当てられている。プラテン開閉カム１２自体はプラテン５の左右両端付近に配置され、プラテン５の位置決めの基準になっている。プラテン開閉カム１２を回転軸中心に回転させることにより、プラテン開閉カムの外形プロフィールに従いプラテン５を前後に移動させ、プラテンの開閉動作を行なうことができる。プラテン開閉カム１２の回転軸は図示しないタイミングベルトと、回転量を制御できる図示しないモータで連結され、モータの回転量によりプラテンの開閉を行なう。
【０００５】
従来よりドットラインプリンタは、印字用紙より紙粉が発生し、この紙粉がプラテン摺動部およびプラテン開閉カム部に溜まり、プラテン開閉動作の異常検出の原因となっている。また、近年の傾向として環境の対応から、再生紙の使用頻度が高まり、その結果ドットラインプリンタには多量の紙粉が発生する。
【０００６】
【特許文献１】特開２００２−５２７６７号公報
【発明の開示】
【発明が解決しようとする課題】
【０００７】
前述したように、ドットラインプリンタは多量の紙粉が発生する。プラテンをモータにて駆動させるドットラインプリンタは、この紙粉がプラテン開閉動作の異常検出の原因となり、プラテン開閉エラーにより印字動作が中断することによって、作業効率が低下するという問題がある。
【０００８】
本発明は、プラテン開閉エラー発生回数を減らすことにより、高い作業効率を確保するドットラインプリンタを提供することを目的とする。
【課題を解決するための手段】
【０００９】
上記目的は、複数個の印字ハンマを搭載したハンマバンクと、前記印字ハンマの印字力を支持するプラテンを有し、前記プラテンが印字用紙に対して直角方向に開閉動作ができ、プラテン開閉量検出手段を備えたドットラインプリンタにおいて、プラテン開閉量検出装置がプラテン開閉量を異常と判断した場合、プラテンが少なくとも１回以上開閉動作を行なうことによりプラテン開閉量異常状態から自動復帰可能にすることによって達成される。
【発明の効果】
【００１０】
本発明によれば、紙粉によるドットラインプリンタのプラテン開閉エラーでの印字動作中断発生頻度を減少させ、プラテン開閉異常状態より自動復帰可能なドットラインプリンタを供給することができる。つまり、使い勝手、作業効率を向上させ、メンテナンス回数の低減を実現したドットラインプリンタを供給することができる。
【発明を実施するための最良の形態】
【００１１】
プラテン開閉エラー発生回数を減らして高い作業効率を確保するという目的を、プラテン開閉カムをモータで回転させることによりプラテン開閉を行い、プラテン開閉量検出手段がプラテン開閉量を異常と判断した場合にプラテンが少なくとも１回以上開閉動作を行なうことで実現した。
【実施例１】
【００１２】
以下、図面を参照して本発明を説明する。
【００１３】
図１に本発明の一実施例を示すプラテン開閉機構部の斜視図を示す。図２にプラテン開閉機構部の断面図を示す。プラテン５は、ハンマバンクに対抗した位置に配置されている。プラテン５の前後方向の位置は、プラテン５とステー１４に取り付けられた引張りコイルバネ１３の張力によって、プラテン開閉カム７に突き当てられることで決まる。プラテン開閉カム１２はプラテン５の左右両端付近に配置され、プラテン５の位置決めの基準になっている。プラテンの図示上下方向の位置は、プラテン５上部よりスプリング１１にて下方に押し付けられており、上下方向に拘束されている。
【００１４】
なお、スプリング１１は図示しないフレーム等に固定されている。プラテン開閉カム１２を回転軸中心に回転させることにより、ＦＴカムの外形プロフィールに従いプラテン５を前後に移動させ、いわゆるプラテンの開閉動作を行なうことができる。プラテン開閉カム１２の回転軸はタイミングベルト２１と、回転量を制御できるモータ２２で連結され、モータ２２の回転量によりプラテンの開閉を行なう。また、プラテン開閉カム１２の回転軸端にプラテン開閉量検出装置２３が配置され、プラテン開閉量を検出することができる。
【００１５】
プラテンをモータにて駆動させるドットラインプリンタは、印字用紙より発生した紙粉がプラテン摺動部に溜まると、プラテン開閉動作異常の原因となり、プラテン開閉エラーで、印字動作が中断する。また、近年の傾向として環境の対応から、再生紙の使用頻度が高まり、その結果ドットラインプリンタには多量の紙粉が発生する。
【００１６】
図５に、本実施例のフローチャートの一例を示す。プラテン５の開閉が行われ、プラテン開閉量検出装置２３がプラテン開閉量異常を検出した場合、プラテン開異常回数が何回目かを数え、ｎ回以下であれば、再度プラテン５の開閉動作を行う。紙粉によるプラテン開閉エラーは、再度プラテン開閉動作を行うことにより、高い確率でプラテン開閉異常状態から自動復帰し、印字動作を開始する。１回のプラテン開閉動作で、プラテン開閉異常状態より復帰しない場合は、数回プラテン開閉動作を行うことで、プラテン開閉異常状態から自動復帰することができ、印字動作を開始する。なお、プラテン開閉異常回数ｎは任意で設定できる。プラテン開閉異常回数がｎ回以上である場合は、プラテン開閉エラーとし、印字動作を中断させる。また、プラテン開閉量初期化のための機構を設けることで、高い信頼性のプラテン開閉動作を得ることができる。
【００１７】
以上説明したように、紙粉によるドットラインプリンタのプラテン開閉エラーでの印字動作中断発生頻度を減少させ、プラテン開閉異常状態より自動復帰可能となる。
【産業上の利用可能性】
【００１８】
紙粉による動作エラーとなる機構を持つ機構部にも利用できる。
【図面の簡単な説明】
【００１９】
【図１】本発明の一実施例を示すプラテン開閉機構の斜視図である。
【図２】プラテン開閉機構の一例を示す図である。
【図３】従来例の印字機構の斜視図である。
【図４】従来例の印字機構の断面図である。
【図５】本発明によるフローチャートの一例である。
【符号の説明】
【００２０】
１はハンマバンク、２はインクリボン、３は印字用紙、４はトラクタ、５はプラテン、６は紙送り機構部、１０は印字ハンマ、１１は板バネ、１２はプラテン開閉カム、１３はコイルバネ、１４はステー、２１はタイミングベルト、２２はモータ、２３はプラテン開閉量検出装置である。
【図１】
2006341550.tif 000003
【図２】
2006341550.tif 000004
【図３】
2006341550.tif 000005
【図４】
2006341550.tif 000006
【図５】
2006341550.tif 000007